(57)【要約】      （修正有）【課題】眼鏡ケース内に出し入れ可能に収納して眼鏡を保護すると共に、取り出した際に筆記用や捺印用の下敷きとして使用することができる眼鏡ケースの芯材を提供する。【解決手段】芯材Ａは、表面が平滑面に形成された軟質合成樹脂板を芯材本体１としてこの芯材本体１の裏面に弾性シートを一体に接着し、該弾性シートを柔軟な布地よりなる被覆材３によって被覆してなり、この芯材Ａを被覆材３が内面側となるようにその長さ方向の中央部から二つ折り状に弾性的に屈曲させて眼鏡ケースＢの内面に圧接させた状態となるように収納して眼鏡ケースＢの補強用芯材とし、この芯材Ａを眼鏡ケースＢから取り出して弾性復元力により展開し、その芯材本体１上で筆記を行い、被覆材３上で捺印が可能な下敷きとして使用できるように構成している。【選択図】図３
2007097955.tif 000002
【特許請求の範囲】
【請求項１】
眼鏡ケース内に配設されて眼鏡を保護する芯材であって、眼鏡ケース内における内底面から両側内面に沿う大きさ、形状を有する表面が平滑な面に形成された弾性的に屈曲可能な軟質合成樹脂板よりなる芯材本体と、この芯材本体の裏面に重ね合わせて一体に接着してなる弾性シートと、この弾性シートを被覆した柔軟な布地よりなる被覆材とからなり、該被覆材が眼鏡と接触する内面側となるように中央部から弾性的に屈曲させて該中央部を眼鏡ケースの内底面に接する眼鏡の下端保護部に、両側部を眼鏡ケースの対向内側面に接する眼鏡包持部に形成し、この状態で眼鏡ケース内に取り出し可能に収納していることを特徴とする眼鏡ケースの芯材。
【請求項２】
下端保護部を形成する中央部の両側縁部を内側に向かって凹円弧状の縁部にして眼鏡包持部の両側縁部間の幅よりも狭いくびれ部に形成していると共に、これらの眼鏡包持部の先端中央部に互いに係脱自在に係合する留具を取付けていることを特徴とする請求項１に記載の眼鏡ケースの芯材。
【発明の詳細な説明】
【技術分野】
【０００１】
本発明は眼鏡ケース内に取り出し可能に配設して眼鏡レンズを保護するための芯材に関する。
【背景技術】
【０００２】
眼鏡ケースとしては、従来から、皮革や軟質合成樹脂などの柔軟な材料によってケース本体を形成し、このケース本体の内面に硬質の芯材を内張りして補強したのち、この芯材を柔軟な布や皮革よりなる化粧シートで被覆してなる構造のものが一般的に知られており、このケース本体内に眼鏡を拭き取り用の植毛布を包み込んだ状態で収納するように構成している。
【０００３】
また、このように構成した眼鏡ケースでは、眼鏡を該ケース内に収納した状態で携行すると、振動等によってケース内で妄動し、眼鏡を傷める虞れがあるので、例えば、特許文献１に記載したように、対向面に眼鏡のレンズ部分を収納する左右凹部を設けた一対の保持部材を眼鏡ケース内に取り出し可能に収納した構造のものが考案されている。そして、一方の保持部材の左右凹部内に眼鏡レンズの左右フレーム部の裏面側を収納すると共に他方の保持部材の左右凹部内に眼鏡レンズの左右フレーム部の表面側を収納するように、両保持部材を重ね合わせてこれらの保持部材の左右凹部内に眼鏡を嵌め込み状態に保持し、この状態で眼鏡ケース内に収納するように構成している。
【特許文献１】実用新案登録第３０４４９８２号公報
【発明の開示】
【発明が解決しようとする課題】
【０００４】
しかしながら、上記のように一対の保持部材の左右凹部内に眼鏡を嵌め込み状態で保持するように構成しておくと、眼鏡を着用する際には、眼鏡ケースから保持部材を取り出したのち、さらに該保持部材の凹部から眼鏡のフレーム部分を取り外さなければならず、特に、老眼のように近くが見えがたい場合には眼鏡のフレームや耳掛け用のテンプル部分が保持部材に引っ掛かって取り出しが円滑に行うことができない事態が生じるといった問題点がある。
【０００５】
また、通常、老眼鏡の場合には、外出したりテレビを視たりする時には着用する必要はなく、新聞を読んだり筆記を必要とする場合に着用するが、例えば、宅配便で小包が送られてきた際に、眼鏡ケースから老眼鏡を取り出して送り状等を確認したのち、受け取りの印を押そうとしても、上記いずれの眼鏡ケースにおいても眼鏡ケースそのものをその捺印用下敷きに使用することができず、小包の表面等を利用して印を押しているのが現状であり、きれいに捺印することができない事態が発生する。同様に、署名等の記入が必要となった時においても、眼鏡ケースを下敷きに使用することが困難である。
【０００６】
本発明はこのような問題点に鑑みてなされたもので、その目的とするところは、眼鏡ケース内に眼鏡を収納した状態においては、該眼鏡を弾性的に包持させておくことができるのは勿論、使用時には眼鏡ケースから容易に取り出すことができ、その上、捺印用や筆記用の下敷きとして便益に使用することができる眼鏡ケースの芯材を提供するにある。
【課題を解決するための手段】
【０００７】
上記目的を達成するために本発明の眼鏡ケースの芯材は、請求項１に記載したように、眼鏡ケース内に配設されて眼鏡を保護する芯材であって、眼鏡ケース内における内底面から両側内面に沿う大きさ、形状を有する表面が平滑な面に形成された弾性的に屈曲可能な軟質合成樹脂板よりなる芯材本体と、この芯材本体の裏面に重ね合わせて一体に接着してなる弾性シートと、この弾性シートを被覆した柔軟な布地よりなる被覆材とからなり、該被覆材が眼鏡と接触する内面側となるように中央部から弾性的に屈曲させて該中央部を眼鏡ケースの内底面に接する眼鏡の下端保護部に、両側部を眼鏡ケースの対向内側面に接する眼鏡包持部に形成し、この状態で眼鏡ケース内に取り出し可能に収納した構成を有している。
【０００８】
このように構成した眼鏡ケースの芯材において、請求項２に係る発明は、下端保護部を形成する中央部の両側縁部を内側に向かって凹円弧状の縁部にして眼鏡包持部の両側縁部間の幅よりも狭いくびれ部に形成していると共に、これらの眼鏡包持部の先端中央部に互いに係脱自在に係合する留具を取付けていることを特徴とする。
【発明の効果】
【０００９】
本発明の眼鏡ケースの芯材によれば、弾性的に屈曲可能な軟質合成樹脂板よりなる芯材本体と、この芯材本体の裏面に重ね合わせて一体に接着してなる弾性シートと、この弾性シートを被覆した柔軟な布地よりなる被覆材とからなるので、この芯材の長さ方向の中央部を屈曲させることによって、その中央部を眼鏡ケースの内底面に接する眼鏡の下端保護部に、長さ方向の両側部を眼鏡ケースの対向内側面に接する眼鏡包持部に簡単に形成することができると共に、この状態にして眼鏡ケース内に収納することにより、眼鏡ケースの内底面から対向する内側面にその弾性復元力によって圧接した状態にすることができ、特に、眼鏡ケースが布や皮革等の柔軟な材料によって形成されている場合には、該眼鏡ケースをこの芯材によって補強して該芯材内に収納した眼鏡を弾性的に包持した状態で確実に保護しておくことができる。
【００１０】
この際、軟質合成樹脂板からなる芯材本体に重ね合わせ状態で一体に固着した弾性シートを被覆している柔軟な布地よりなる被覆材を内面側となるように芯材を屈曲した状態で眼鏡ケース内に収納しているので、この被覆材によって眼鏡レンズを柔らかく保持し、擦り傷等が生じるのを防止することができる。
【００１１】
また、眼鏡の使用時に眼鏡ケースを開口させると、該眼鏡ケースの対向内側面に圧接している芯材における両側眼鏡包持部の上端間が弾性復元力によってケースの開口に同調して開口し、該芯材を眼鏡ケース内に残した状態で眼鏡を眼鏡ケースから簡単に取り出すことができる。
【００１２】
さらに、捺印や筆記を必要とする場合には、眼鏡ケースから眼鏡と共に芯材を取り出したのち、該芯材の中央屈曲部をその弾性復元力を利用して展開させれば一枚の台板状の下敷きに簡単に変形させることができ、この状態にして捺印をする際には、この下敷きにおける柔軟な布地上に捺印を必要とする書面等を載せ、印鑑の押圧力に応じて弾性シートを弾性的に圧縮変形させながら円滑且つ確実に捺印をすることができる。また、筆記をする場合には、この芯材を反転して表面が平滑な面に形成された軟質合成樹脂板よりなる芯材本体を上向きにすることにより該芯材本体を下敷きとして使用することができ、この芯材本体の上面に紙片等を載せて簡単に筆記を行うことができる。
【００１３】
請求項２に係る発明によれば、芯材を眼鏡ケース内に収納した際における下端保護部を形成する中央部の両側縁部を内側に向かって凹円弧状の縁部にして眼鏡包持部の両側縁部間の幅よりも狭いくびれ部に形成しているので、このくびれ部から簡単且つ正確に眼鏡ケースの内面に沿う下端保護部を屈曲形成することができると共に、その屈曲部によって形成した下端保護部の横幅が両側眼鏡包持部の横幅よりも狭くなって眼鏡ケースに対する収納が簡単且つ正確に行うことができる。さらに、両側眼鏡包持部の先端中央部に互いに係脱自在に係合する留具を取付けているので、この留具を係合させることによって眼鏡を芯材の両側眼鏡包持部によって安定的に包持させておくことができ、芯材内で眼鏡が妄動するのを防止した状態にして眼鏡ケースを携行することができる。
【発明を実施するための最良の形態】
【００１４】
本発明の具体的な実施の形態を図面について説明すると、図１は芯材Ａの一部切欠き斜視図、図２はその縦断側面図、図３は該芯材Ａを眼鏡ケースＢ内に収納する状態の斜視図、図４は収納した状態を示す縦断正面図であって、芯材Ａは横幅が眼鏡ケースＢの内底面B1の長さに略等しい寸法を有し、縦幅（長さ）が眼鏡ケースＢの対向する両側内側面B2、B2における一方の内側面B2の上端から内底面B2を直交して他方の内側面B2の上端に至る長さに略等しい矩形状の芯材本体１と、この芯材本体１と同一形状を有して該芯材本体１の裏面に重ね合わせて一体に接着している弾性シート２と、この弾性シート２を全面的に被覆している柔軟な布地よりなる被覆材３とからなり、上記芯材本体１はその表面が平滑な面に形成されている弾性的に屈曲可能なポリプロピレンや塩化ビニル樹脂等の軟質合成樹脂板よりなる一方、弾性シート２は発泡合成樹脂材又は弾性ゴム層によって形成されている。
【００１５】
さらに、矩形状の上記芯材本体１は、その四方隅部における縁部を円弧状に湾曲した縁部に形成していると共に、眼鏡ケースＢの内底面に沿わせる長さ方向の中央部における両側縁部を内側に向かって凹円弧状に湾曲した縁部４、４に形成して該中央部をくびれ部５に形成してあり、この芯材本体１の裏面に該芯材本体１の同一形状の上記弾性シート２を一体に接着している。このように構成した芯材Ａは、その長さ方向の両端部、即ち、上記くびれ部５から二つ折り状に屈曲させた場合における対向する両側部の先端中央部に互いに係脱する雌雄ファスナーよりなる留具６、７を取付けてあり、また、この芯材Ａの外周縁部に全周に亘って縁飾り８を施している。
【００１６】
そして、このように構成した芯材Ａを図４、図５に示すように、上記くびれ部５から被覆材３が内面側となるように弾性的に屈曲させることにより、該くびれ部５からなる屈曲部を眼鏡ケースＢの内底面B1に重ね合わせるように接して該内底面B1を補強する下端保護部10に形成すると共に、該くびれ部５を中央にして互いに対向した芯材Ａの長さ方向の一半部と他半部とで眼鏡ケースＢの対向内側面B2、B2に接する眼鏡包持部11、12を形成するように構成している。
【００１７】
このように屈曲させた芯材Ａは図３、図４に示すように、眼鏡ケースＢ内に収納する。この際、くびれ部５から屈曲させてなる下端保護部10は眼鏡包持部11、12の両側縁部間の幅よりも狭いので、眼鏡ケースＢ内への収納が簡単に行うことができる。そして、該芯材Ａを眼鏡ケースＢ内に収納すると、芯材本体１の弾性復元力によって眼鏡ケースＢの内面に弾性的に圧接し、眼鏡ケースＢを補強すると共に眼鏡ケースＢに作用する外力をその弾性力によって吸収して該芯材Ａ内に包持状態で収納された眼鏡Ｃを保護し、さらに、眼鏡Ｃを柔軟な布地よりなる被覆材３により被覆されている弾性シート２によって弾性的に包持して眼鏡レンズを傷つけることなく収納しておくことができる。
【００１８】
さらにまた、芯材Ａは、眼鏡ケースＢに対して出し入れ可能であるから、該芯材Ａをそのくびれ部５から屈曲させて図３に示すように、その内部に眼鏡Ｃを包持させた状態にして留具６、７を係合させ、この状態で眼鏡ケースＢに対して出し入れを行うことができ、また、芯材Ａを眼鏡ケースＢ内に収納した状態で、留具６、７の係合を解くことによって芯材Ａを眼鏡ケースＢから取り出すことなく、眼鏡Ｃのみを取り出すことができる。なお、留具６、７としては、ベルベット式フャスナーを使用しているが、図６に示すように、ホックによる留具を採用してもよく、また、その他の留具を使用してもよい。
【００１９】
また、メモや住所、氏名等の筆記が必要な場合には、眼鏡ケースＢから眼鏡Ｃと共に芯材Ａを取り出したのち、該芯材Ａを図７に示すようにその芯材本体１の弾性復元力によって展開させ、軟質合成樹脂板よりなる該芯材本体１を下敷きに使用し、この芯材本体１の平滑な表面に紙片等を載せて簡単且つ円滑に筆記を行うことができる。さらに、書面等に捺印をする必要が生じた場合には、上記同様に、眼鏡ケースＢから眼鏡Ｃと共に芯材Ａを取り出したのち、図８に示すように該芯材Ａの芯材本体１の裏面側に一体に設けている弾性シート２を上向きにした状態となるように展開させ、この弾性シート２を被覆している柔軟な布地からなる被覆材３上に書面等を載せて、弾性シート２の弾性を利用して書面等の所定箇所にきれいに捺印することができる。
【００２０】
なお、以上の実施例においては、芯材Ａをくびれ部５から二つ折り状態に屈曲させることによって形成した両側の眼鏡包持部11、12の先端中央部に留具６、７を取付けているが、このような留具を取付けておかなくても本発明を満足させることができる。
【図面の簡単な説明】
【００２１】
【図１】芯材の一部切欠き斜視図。
【図２】その縦断側面図。
【図３】芯材を眼鏡ケースに収納する状態の斜視図。
【図４】収納した状態の縦断正面図。
【図５】芯材を屈曲させて留具を係合させた状態の斜視図。
【図６】本発明の別な実施の形態を示す一部の斜視図。
【図７】筆記時の下敷きに使用している状態の斜視図。
【図８】捺印用の下敷きに使用している状態の一部切欠き斜視図。
【符号の説明】
【００２２】
Ａ          芯材
Ｂ          眼鏡ケース
Ｃ          眼鏡
１          芯材本体
２          弾性シート
３          被覆材
５          くびれ部
６、７      留具
１０        下端保護部
１１，１２  眼鏡包持部
【図１】
2007097955.tif 000003
【図２】
2007097955.tif 000004
【図３】
2007097955.tif 000005
【図４】
2007097955.tif 000006
【図５】
2007097955.tif 000007
【図６】
2007097955.tif 000008
【図７】
2007097955.tif 000009
【図８】
2007097955.tif 000010